【手続補正書】
【提出日】令和1年5月22日(2019.5.22)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）によって実行されるワイヤレス通信の方法であって、
基地局との通信のための帯域幅または複信構成を決定することと、
前記帯域幅または複信構成に少なくとも部分的に基づいて、システム情報ブロック（ＳＩＢ）のためのスケジューリングパラメータを決定することと、
前記スケジューリングパラメータに従って前記ＳＩＢを受信することと
を備える、方法。
【請求項２】
ブロードキャスト通信において前記ＳＩＢのための前記スケジューリングパラメータを示すシグナリングを受信することをさらに備え、前記スケジューリングパラメータを決定することは、
前記決定された帯域幅または複信構成に少なくとも部分的に基づいて、前記受信されたシグナリングを解釈することを備え、
特に、前記ブロードキャスト通信は、マスタ情報ブロック（ＭＩＢ）を備え、
特に、前記シグナリングは、前記ＳＩＢのための前記スケジューリングパラメータを示すビットフィールドを備える、
請求項１に記載の方法、または
前記基地局との通信のための周波数ホッピング構成を決定することをさらに備え、前記ＳＩＢのための前記スケジューリングパラメータは、前記周波数ホッピング構成に少なくとも部分的に基づいて決定される、
請求項１に記載の方法。
【請求項３】
前記ＳＩＢのための前記スケジューリングパラメータは、繰返しレベル、トランスポートブロックサイズ、サブフレームインデックス、または割り当てられたリソースブロックの数のうちの少なくとも１つを備える、または
前記ＳＩＢがマシンタイプ通信（ＭＴＣ）ＳＩＢ１を備える、または
前記帯域幅および複信構成は、ブロードキャスト通信に少なくとも部分的に基づいて決定され、
特に、前記ブロードキャスト通信は、ＭＩＢ、プライマリ同期信号（ＰＳＳ）、またはセカンダリ同期信号（ＳＳＳ）のうちの最小１つとして備える、
請求項１に記載の方法。
【請求項４】
前記ＳＩＢを受信することは、
ブロードキャストチャネルがシステム帯域幅の狭帯域領域内で送信時間間隔（ＴＴＩ）中にスケジュールされると決定することと、
前記決定に少なくとも部分的に基づいて、前記ＴＴＩ中に前記ＳＩＢを受信するために利用可能なリソースを識別することと、
前記利用可能なリソースを識別することに少なくとも部分的に基づいて、前記狭帯域領域内で前記ＳＩＢをモニタすることと
を備える、請求項１に記載の方法。
【請求項５】
ワイヤレス通信の方法であって、
ユーザ機器（ＵＥ）との通信のための帯域幅または複信構成を決定することと、
前記帯域幅または複信構成に少なくとも部分的に基づいて、システム情報ブロック（ＳＩＢ）のためのスケジューリングパラメータを決定することと、
前記スケジューリングパラメータに従って前記ＳＩＢを送信することと
を備える、方法。
【請求項６】
ブロードキャスト通信において前記ＳＩＢのための前記スケジューリングパラメータを示すシグナリングを送信することをさらに備え、前記ＳＩＢのための前記スケジューリングパラメータは、前記帯域幅または複信構成に少なくとも部分的に基づいて示され、
特に、前記ブロードキャスト通信は、ＭＩＢ、プライマリ同期信号（ＰＳＳ）、またはセカンダリ同期信号（ＳＳＳ）を備える、または
前記シグナリングは、前記スケジューリングパラメータを示すビットフィールドを備える、
請求項５に記載の方法、または
周波数ホッピング構成を決定することをさらに備え、前記スケジューリングパラメータは、前記周波数ホッピング構成に少なくとも部分的に基づいて決定される、
請求項５に記載の方法。
【請求項７】
前記ＳＩＢを送信することは、
ブロードキャストチャネルがシステム帯域幅の狭帯域領域内で送信時間間隔（ＴＴＩ）中にスケジュールされると決定することと、
前記決定に少なくとも部分的に基づいて、前記ＴＴＩ中に前記ＳＩＢのために利用可能なリソースを識別することと、
前記ＴＴＩの利用可能なリソースを識別することに少なくとも部分的に基づいて、前記狭帯域領域内のリソースに前記ＳＩＢをマッピングすることと
を備える、請求項５に記載の方法。
【請求項８】
ワイヤレス通信のための装置であって、
基地局との通信のための帯域幅または複信構成を決定するための手段と、
前記帯域幅または複信構成に少なくとも部分的に基づいて、システム情報ブロック（ＳＩＢ）のためのスケジューリングパラメータを決定するための手段と、
前記スケジューリングパラメータに従って前記ＳＩＢを受信するための手段と
を備える、装置。
【請求項９】
ブロードキャスト通信において前記ＳＩＢのための前記スケジューリングパラメータを示すシグナリングを受信するための手段をさらに備え、前記スケジューリングパラメータを前記決定するための手段は、前記決定された帯域幅または複信構成に少なくとも部分的に基づいて、前記受信されたシグナリングを解釈するための手段を備え、
特に、前記ブロードキャスト通信は、マスタ情報ブロック（ＭＩＢ）を備える、または
特に、前記シグナリングは、前記ＳＩＢのための前記スケジューリングパラメータを示すビットフィールドを備える、
請求項８に記載の装置、または
前記基地局との通信のための周波数ホッピング構成を決定するための手段をさらに備え、前記ＳＩＢのための前記スケジューリングパラメータを前記決定するための手段は、前記周波数ホッピング構成に少なくとも部分的に基づいて決定を行うように動作可能である、
請求項８に記載の装置。
【請求項１０】
前記ＳＩＢのための前記スケジューリングパラメータが、繰返しレベル、トランスポートブロックサイズ、サブフレームインデックス、または割り当てられたリソースブロックの数のうちの少なくとも１つを備える、または
前記ＳＩＢは、マシンタイプ通信（ＭＴＣ）ＳＩＢ１を備える、または
前記帯域幅または複信構成を前記決定するための手段は、ブロードキャスト通信に少なくとも部分的に基づいて決定を行うように動作可能であり、
特に、前記ブロードキャスト通信は、ＭＩＢ、プライマリ同期信号（ＰＳＳ）、またはセカンダリ同期信号（ＳＳＳ）のうちの最小１つとして備える、
請求項８に記載の装置。
【請求項１１】
ブロードキャストチャネルがシステム帯域幅の狭帯域領域内で送信時間間隔（ＴＴＩ）中にスケジュールされると決定するための手段と、
前記決定に少なくとも部分的に基づいて、前記ＴＴＩ中に前記ＳＩＢを受信するために利用可能なリソースを識別するための手段と、
前記利用可能なリソースを識別することに少なくとも部分的に基づいて、前記狭帯域領域内で前記ＳＩＢをモニタするための手段と
をさらに備える、請求項８に記載の装置。
【請求項１２】
ワイヤレス通信のための装置であって、
ユーザ機器（ＵＥ）との通信のための帯域幅または複信構成を決定するための手段と、
前記帯域幅または複信構成に少なくとも部分的に基づいて、システム情報ブロック（ＳＩＢ）のためのスケジューリングパラメータを決定するための手段と、
前記スケジューリングパラメータに従って前記ＳＩＢを送信するための手段と
を備える、装置。
【請求項１３】
ブロードキャスト通信において前記ＳＩＢのための前記スケジューリングパラメータを示すシグナリングを送信するための手段をさらに備え、前記ＳＩＢのための前記スケジューリングパラメータは、前記帯域幅または複信構成に少なくとも部分的に基づいて示され、
特に、前記ブロードキャスト通信は、ＭＩＢ、プライマリ同期信号（ＰＳＳ）、またはセカンダリ同期信号（ＳＳＳ）を備える、または
特に、前記シグナリングは、前記スケジューリングパラメータを示すビットフィールドを備える、
請求項１２に記載の装置、または
周波数ホッピング構成を決定するための手段をさらに備え、前記スケジューリングパラメータを前記決定するための手段は、前記周波数ホッピング構成に少なくとも部分的に基づいて決定を行うように動作可能である、
請求項１２に記載の装置。
【請求項１４】
ブロードキャストチャネルがシステム帯域幅の狭帯域領域内で送信時間間隔（ＴＴＩ）中にスケジュールされると決定するための手段と、
前記決定に少なくとも部分的に基づいて、前記ＴＴＩ中に前記ＳＩＢのために利用可能なリソースを識別するための手段と、
前記ＴＴＩの利用可能なリソースを識別することに少なくとも部分的に基づいて、前記狭帯域領域内のリソースに前記ＳＩＢをマッピングするための手段と
をさらに備える、請求項１２に記載の装置。
【請求項１５】
請求項１乃至７のいずれか１項に従う方法を実行するための命令を備えるコンピュータプログラム。
【手続補正２】
【補正対象書類名】明細書
【補正対象項目名】０１６６
【補正方法】変更
【補正の内容】
【０１６６】
[0170]本明細書の説明は、当業者が本開示を作成または使用することができるように与えられた。本開示への様々な変更は当業者には容易に明らかとなり、本明細書で定義された一般原理は、本開示の範囲から逸脱することなく他の変形形態に適用され得る。したがって、本開示は、本明細書で説明された例および設計に限定されるべきでなく、本明細書で開示された原理および新規の特徴に合致する最も広い範囲を与えられるべきである。
以下に、本願出願の当初の特許請求の範囲に記載された発明を付記する。
［Ｃ１］
ユーザ機器（ＵＥ）によって実行されるワイヤレス通信の方法であって、
基地局との通信のための帯域幅または複信構成を決定することと、
前記帯域幅または複信構成に少なくとも部分的に基づいて、システム情報ブロック（ＳＩＢ）のためのスケジューリングパラメータを決定することと、
前記スケジューリングパラメータに従って前記ＳＩＢを受信することと
を備える、方法。
［Ｃ２］
ブロードキャスト通信において前記ＳＩＢのための前記スケジューリングパラメータを示すシグナリングを受信することをさらに備え、前記スケジューリングパラメータを決定することは、
前記決定された帯域幅または複信構成に少なくとも部分的に基づいて、前記受信されたシグナリングを解釈することを備える、
［Ｃ１］に記載の方法。
［Ｃ３］
前記ブロードキャスト通信は、マスタ情報ブロック（ＭＩＢ）を備える、
［Ｃ２］に記載の方法。
［Ｃ４］
前記シグナリングは、前記ＳＩＢのための前記スケジューリングパラメータを示すビットフィールドを備える、
［Ｃ２］に記載の方法。
［Ｃ５］
前記基地局との通信のための周波数ホッピング構成を決定することをさらに備え、前記ＳＩＢのための前記スケジューリングパラメータは、前記周波数ホッピング構成に少なくとも部分的に基づいて決定される、
［Ｃ１］に記載の方法。
［Ｃ６］
前記ＳＩＢのための前記スケジューリングパラメータは、繰返しレベル、トランスポートブロックサイズ、サブフレームインデックス、または割り当てられたリソースブロックの数のうちの少なくとも１つを備える、
［Ｃ１］に記載の方法。
［Ｃ７］
前記ＳＩＢがマシンタイプ通信（ＭＴＣ）ＳＩＢ１を備える、
［Ｃ１］に記載の方法。
［Ｃ８］
前記帯域幅および複信構成は、ブロードキャスト通信に少なくとも部分的に基づいて決定される、
［Ｃ１］に記載の方法。
［Ｃ９］
前記ブロードキャスト通信は、ＭＩＢ、プライマリ同期信号（ＰＳＳ）、またはセカンダリ同期信号（ＳＳＳ）のうちの最小１つとして備える、
［Ｃ８］に記載の方法。
［Ｃ１０］
前記ＳＩＢを受信することは、
ブロードキャストチャネルがシステム帯域幅の狭帯域領域内で送信時間間隔（ＴＴＩ）中にスケジュールされると決定することと、
前記決定に少なくとも部分的に基づいて、前記ＴＴＩ中に前記ＳＩＢを受信するために利用可能なリソースを識別することと、
前記利用可能なリソースを識別することに少なくとも部分的に基づいて、前記狭帯域領域内で前記ＳＩＢをモニタすることと
を備える、［Ｃ１］に記載の方法。
［Ｃ１１］
ワイヤレス通信の方法であって、
ユーザ機器（ＵＥ）との通信のための帯域幅または複信構成を決定することと、
前記帯域幅または複信構成に少なくとも部分的に基づいて、システム情報ブロック（ＳＩＢ）のためのスケジューリングパラメータを決定することと、
前記スケジューリングパラメータに従って前記ＳＩＢを送信することと
を備える、方法。
［Ｃ１２］
ブロードキャスト通信において前記ＳＩＢのための前記スケジューリングパラメータを示すシグナリングを送信することをさらに備え、前記ＳＩＢのための前記スケジューリングパラメータは、前記帯域幅または複信構成に少なくとも部分的に基づいて示される、
［Ｃ１１］に記載の方法。
［Ｃ１３］
前記ブロードキャスト通信は、ＭＩＢ、プライマリ同期信号（ＰＳＳ）、またはセカンダリ同期信号（ＳＳＳ）を備える、
［Ｃ１２］に記載の方法。
［Ｃ１４］
前記シグナリングは、前記スケジューリングパラメータを示すビットフィールドを備える、
［Ｃ１２］に記載の方法。
［Ｃ１５］
周波数ホッピング構成を決定することをさらに備え、前記スケジューリングパラメータは、前記周波数ホッピング構成に少なくとも部分的に基づいて決定される、
［Ｃ１１］に記載の方法。
［Ｃ１６］
前記ＳＩＢを送信することは、
ブロードキャストチャネルがシステム帯域幅の狭帯域領域内で送信時間間隔（ＴＴＩ）中にスケジュールされると決定することと、
前記決定に少なくとも部分的に基づいて、前記ＴＴＩ中に前記ＳＩＢのために利用可能なリソースを識別することと、
前記ＴＴＩの利用可能なリソースを識別することに少なくとも部分的に基づいて、前記狭帯域領域内のリソースに前記ＳＩＢをマッピングすることと
を備える、［Ｃ１１］に記載の方法。
［Ｃ１７］
ワイヤレス通信のための装置であって、
基地局との通信のための帯域幅または複信構成を決定するための手段と、
前記帯域幅または複信構成に少なくとも部分的に基づいて、システム情報ブロック（ＳＩＢ）のためのスケジューリングパラメータを決定するための手段と、
前記スケジューリングパラメータに従って前記ＳＩＢを受信するための手段と
を備える、装置。
［Ｃ１８］
ブロードキャスト通信において前記ＳＩＢのための前記スケジューリングパラメータを示すシグナリングを受信するための手段をさらに備え、前記スケジューリングパラメータを前記決定するための手段は、前記決定された帯域幅または複信構成に少なくとも部分的に基づいて、前記受信されたシグナリングを解釈するための手段を備える、
［Ｃ１７］に記載の装置。
［Ｃ１９］
前記ブロードキャスト通信は、マスタ情報ブロック（ＭＩＢ）を備える、
［Ｃ１８］に記載の装置。
［Ｃ２０］
前記シグナリングは、前記ＳＩＢのための前記スケジューリングパラメータを示すビットフィールドを備える、
［Ｃ１８］に記載の装置。
［Ｃ２１］
前記基地局との通信のための周波数ホッピング構成を決定するための手段をさらに備え、前記ＳＩＢのための前記スケジューリングパラメータを前記決定するための手段は、前記周波数ホッピング構成に少なくとも部分的に基づいて決定を行うように動作可能である、
［Ｃ１７］に記載の装置。
［Ｃ２２］
前記ＳＩＢのための前記スケジューリングパラメータが、繰返しレベル、トランスポートブロックサイズ、サブフレームインデックス、または割り当てられたリソースブロックの数のうちの少なくとも１つを備える、
［Ｃ１７］に記載の装置。
［Ｃ２３］
前記ＳＩＢは、マシンタイプ通信（ＭＴＣ）ＳＩＢ１を備える、
［Ｃ１７］に記載の装置。
［Ｃ２４］
前記帯域幅または複信構成を前記決定するための手段は、ブロードキャスト通信に少なくとも部分的に基づいて決定を行うように動作可能である、
［Ｃ１７］に記載の装置。
［Ｃ２５］
前記ブロードキャスト通信は、ＭＩＢ、プライマリ同期信号（ＰＳＳ）、またはセカンダリ同期信号（ＳＳＳ）のうちの最小１つとして備える、
［Ｃ２４］に記載の装置。
［Ｃ２６］
ブロードキャストチャネルがシステム帯域幅の狭帯域領域内で送信時間間隔（ＴＴＩ）中にスケジュールされると決定するための手段と、
前記決定に少なくとも部分的に基づいて、前記ＴＴＩ中に前記ＳＩＢを受信するために利用可能なリソースを識別するための手段と、
前記利用可能なリソースを識別することに少なくとも部分的に基づいて、前記狭帯域領域内で前記ＳＩＢをモニタするための手段と
をさらに備える、［Ｃ１７］に記載の装置。
［Ｃ２７］
ワイヤレス通信のための装置であって、
ユーザ機器（ＵＥ）との通信のための帯域幅または複信構成を決定するための手段と、
前記帯域幅または複信構成に少なくとも部分的に基づいて、システム情報ブロック（ＳＩＢ）のためのスケジューリングパラメータを決定するための手段と、
前記スケジューリングパラメータに従って前記ＳＩＢを送信するための手段と
を備える、装置。
［Ｃ２８］
ブロードキャスト通信において前記ＳＩＢのための前記スケジューリングパラメータを示すシグナリングを送信するための手段をさらに備え、前記ＳＩＢのための前記スケジューリングパラメータは、前記帯域幅または複信構成に少なくとも部分的に基づいて示される、
［Ｃ２７］に記載の装置。
［Ｃ２９］
前記ブロードキャスト通信は、ＭＩＢ、プライマリ同期信号（ＰＳＳ）、またはセカンダリ同期信号（ＳＳＳ）を備える、
［Ｃ２８］に記載の装置。
［Ｃ３０］
前記シグナリングは、前記スケジューリングパラメータを示すビットフィールドを備える、
［Ｃ２８］に記載の装置。
［Ｃ３１］
周波数ホッピング構成を決定するための手段をさらに備え、前記スケジューリングパラメータを前記決定するための手段は、前記周波数ホッピング構成に少なくとも部分的に基づいて決定を行うように動作可能である、
［Ｃ２７］に記載の装置。
［Ｃ３２］
ブロードキャストチャネルがシステム帯域幅の狭帯域領域内で送信時間間隔（ＴＴＩ）中にスケジュールされると決定するための手段と、
前記決定に少なくとも部分的に基づいて、前記ＴＴＩ中に前記ＳＩＢのために利用可能なリソースを識別するための手段と、
前記ＴＴＩの利用可能なリソースを識別することに少なくとも部分的に基づいて、前記狭帯域領域内のリソースに前記ＳＩＢをマッピングするための手段と
をさらに備える、［Ｃ２７］に記載の装置。
［Ｃ３３］
ワイヤレス通信のための装置であって、
プロセッサと、
前記プロセッサと電子通信しているメモリと、
前記メモリに記憶された命令と
を備え、前記命令は、前記プロセッサによって実行されたとき、前記装置に、
基地局との通信のための帯域幅または複信構成を決定することと、
前記帯域幅または複信構成に少なくとも部分的に基づいて、システム情報ブロック（ＳＩＢ）のためのスケジューリングパラメータを決定することと、
前記スケジューリングパラメータに従って前記ＳＩＢを受信することと
を行わせるように動作可能である、装置。
［Ｃ３４］
前記命令は、前記装置に、
ブロードキャスト通信において前記ＳＩＢのための前記スケジューリングパラメータを示すシグナリングを受信することと、
前記スケジューリングパラメータを決定するために、前記決定された帯域幅または複信構成に少なくとも部分的に基づいて、前記受信されたシグナリングを解釈することと
を行わせるように動作可能である、［Ｃ３３］に記載の装置。
［Ｃ３５］
前記ブロードキャスト通信は、マスタ情報ブロック（ＭＩＢ）を備える、
［Ｃ３４］に記載の装置。
［Ｃ３６］
前記シグナリングは、前記ＳＩＢのための前記スケジューリングパラメータを示すビットフィールドを備える、［Ｃ３４］に記載の装置。
［Ｃ３７］
前記命令が、前記装置に、
前記基地局との通信のための周波数ホッピング構成を決定することと、
前記周波数ホッピング構成に少なくとも部分的に基づいて、前記ＳＩＢのための前記スケジューリングパラメータを決定することと
を行わせるように動作可能である、［Ｃ３３］に記載の装置。
［Ｃ３８］
前記ＳＩＢのための前記スケジューリングパラメータは、繰返しレベル、トランスポートブロックサイズ、サブフレームインデックス、または割り当てられたリソースブロックの数のうちの少なくとも１つを備える、
［Ｃ３３］に記載の装置。
［Ｃ３９］
前記ＳＩＢは、マシンタイプ通信（ＭＴＣ）ＳＩＢ１を備える、
［Ｃ３３］に記載の装置。
［Ｃ４０］
前記命令は、前記装置に、
ブロードキャスト通信に少なくとも部分的に基づいて、前記帯域幅および複信構成を決定すること
を行わせるように動作可能である、
［Ｃ３３］に記載の装置。
［Ｃ４１］
前記ブロードキャスト通信は、ＭＩＢ、プライマリ同期信号（ＰＳＳ）、またはセカンダリ同期信号（ＳＳＳ）のうちの最小１つとして備える、
［Ｃ４０］に記載の装置。
［Ｃ４２］
前記命令は、前記装置に、
ブロードキャストチャネルがシステム帯域幅の狭帯域領域内で送信時間間隔（ＴＴＩ）中にスケジュールされると決定することと、
前記決定に少なくとも部分的に基づいて、前記ＴＴＩ中に前記ＳＩＢを受信するために利用可能なリソースを識別することと、
前記利用可能なリソースを識別することに少なくとも部分的に基づいて、前記狭帯域領域内で前記ＳＩＢをモニタすることと
を行わせるように動作可能である、［Ｃ３３］に記載の装置。
［Ｃ４３］
ワイヤレス通信のための装置であって、
プロセッサと、
前記プロセッサと電子通信しているメモリと、
前記メモリに記憶された命令と
を備え、前記命令は、前記プロセッサによって実行されたとき、前記装置に、
ユーザ機器（ＵＥ）との通信のための帯域幅または複信構成を決定することと、
前記帯域幅または複信構成に少なくとも部分的に基づいて、ＳＩＢのためのスケジューリングパラメータを決定することと、
前記スケジューリングパラメータに従って前記ＳＩＢを送信することと
を行わせるように動作可能である、装置。
［Ｃ４４］
前記命令は、前記装置に、
ブロードキャスト通信において前記ＳＩＢのための前記スケジューリングパラメータを示すシグナリングを送信することと、
前記帯域幅または複信構成に少なくとも部分的に基づいて、前記ＳＩＢのための前記スケジューリングパラメータを示すことと
を行わせるように動作可能である、［Ｃ４３］に記載の装置。
［Ｃ４５］
前記ブロードキャスト通信は、ＭＩＢ、プライマリ同期信号（ＰＳＳ）、またはセカンダリ同期信号（ＳＳＳ）を備える、
［Ｃ４４］に記載の装置。
［Ｃ４６］
前記シグナリングは、前記スケジューリングパラメータを示すビットフィールドを備える、
［Ｃ４４］に記載の装置。
［Ｃ４７］
前記命令は、前記装置に、
周波数ホッピング構成を決定することと、
前記周波数ホッピング構成に少なくとも部分的に基づいて、前記スケジューリングパラメータを決定することと
を行わせるように動作可能である、［Ｃ４３］に記載の装置。
［Ｃ４８］
前記命令は、前記装置に、
ブロードキャストチャネルがシステム帯域幅の狭帯域領域内で送信時間間隔（ＴＴＩ）中にスケジュールされると決定することと、
前記決定に少なくとも部分的に基づいて、前記ＴＴＩ中に前記ＳＩＢのために利用可能なリソースを識別することと、
前記ＴＴＩの利用可能なリソースを識別することに少なくとも部分的に基づいて、前記狭帯域領域内のリソースに前記ＳＩＢをマッピングすることと
を行わせるように動作可能である、［Ｃ４３］に記載の装置。
［Ｃ４９］
ワイヤレス通信のためのコードを記憶する非一時的コンピュータ可読媒体であって、前記コードは、
基地局との通信のための帯域幅または複信構成を決定することと、
前記帯域幅または複信構成に少なくとも部分的に基づいて、システム情報ブロック（ＳＩＢ）のためのスケジューリングパラメータを決定することと、
前記スケジューリングパラメータに従って前記ＳＩＢを受信することと
を行うために実行可能な命令を備える、非一時的コンピュータ可読媒体。
［Ｃ５０］
前記命令は、
ブロードキャスト通信において前記ＳＩＢのための前記スケジューリングパラメータを示すシグナリングを受信することと、
前記スケジューリングパラメータを決定するために、前記決定された帯域幅または複信構成に少なくとも部分的に基づいて、前記受信されたシグナリングを解釈することと
を行うために実行可能である、［Ｃ４９］に記載の非一時的コンピュータ可読媒体。
［Ｃ５１］
前記ブロードキャスト通信は、マスタ情報ブロック（ＭＩＢ）を備える、
［Ｃ５０］に記載の非一時的コンピュータ可読媒体。
［Ｃ５２］
前記シグナリングは、前記ＳＩＢのための前記スケジューリングパラメータを示すビットフィールドを備える、
［Ｃ５０］に記載の非一時的コンピュータ可読媒体。
［Ｃ５３］
前記命令は、
前記基地局との通信のための周波数ホッピング構成を決定することと、
前記周波数ホッピング構成に少なくとも部分的に基づいて、前記ＳＩＢのための前記スケジューリングパラメータを決定することと
を行うために実行可能である、［Ｃ４９］に記載の非一時的コンピュータ可読媒体。
［Ｃ５４］
前記ＳＩＢのための前記スケジューリングパラメータは、繰返しレベル、トランスポートブロックサイズ、サブフレームインデックス、または割り当てられたリソースブロックの数のうちの少なくとも１つを備える、
［Ｃ４９］に記載の非一時的コンピュータ可読媒体。
［Ｃ５５］
前記ＳＩＢは、マシンタイプ通信（ＭＴＣ）ＳＩＢ１を備える、
［Ｃ４９］に記載の非一時的コンピュータ可読媒体。
［Ｃ５６］
前記命令は、
ブロードキャスト通信に少なくとも部分的に基づいて、前記帯域幅および複信構成を決定することを行うために実行可能である、
［Ｃ４９］に記載の非一時的コンピュータ可読媒体。
［Ｃ５７］
前記ブロードキャスト通信は、ＭＩＢ、プライマリ同期信号（ＰＳＳ）、またはセカンダリ同期信号（ＳＳＳ）のうちの最小１つとして備える、
［Ｃ５６］に記載の非一時的コンピュータ可読媒体。
［Ｃ５８］
前記命令は、
ブロードキャストチャネルがシステム帯域幅の狭帯域領域内で送信時間間隔（ＴＴＩ）中にスケジュールされると決定することと、
前記決定に少なくとも部分的に基づいて、前記ＴＴＩ中に前記ＳＩＢを受信するために利用可能なリソースを識別することと、
前記利用可能なリソースを識別することに少なくとも部分的に基づいて、前記狭帯域領域内で前記ＳＩＢをモニタすることと
を行うために実行可能である、［Ｃ４９］に記載の非一時的コンピュータ可読媒体。
［Ｃ５９］
ワイヤレス通信のためのコードを記憶する非一時的コンピュータ可読媒体であって、前記コードは、
ユーザ機器（ＵＥ）との通信のための帯域幅または複信構成を決定することと、
前記帯域幅または複信構成に少なくとも部分的に基づいて、ＳＩＢのためのスケジューリングパラメータを決定することと、
前記スケジューリングパラメータに従って前記ＳＩＢを送信することと
を行うために実行可能な命令を備える、非一時的コンピュータ可読媒体。
［Ｃ６０］
前記命令は、
ブロードキャスト通信において前記ＳＩＢのための前記スケジューリングパラメータを示すシグナリングを送信することと、
前記帯域幅または複信構成に少なくとも部分的に基づいて、前記ＳＩＢのための前記スケジューリングパラメータを示すことと
を行うために実行可能である、［Ｃ５９］に記載の非一時的コンピュータ可読媒体。
［Ｃ６１］
前記ブロードキャスト通信は、ＭＩＢ、プライマリ同期信号（ＰＳＳ）、またはセカンダリ同期信号（ＳＳＳ）を備える、［Ｃ６０］に記載の非一時的コンピュータ可読媒体。
［Ｃ６２］
前記シグナリングは、前記スケジューリングパラメータを示すビットフィールドを備える、
［Ｃ６０］に記載の非一時的コンピュータ可読媒体。
［Ｃ６３］
前記命令は、
周波数ホッピング構成を決定することと、
前記周波数ホッピング構成に少なくとも部分的に基づいて、前記スケジューリングパラメータを決定することと
を行うために実行可能である、［Ｃ５９］に記載の非一時的コンピュータ可読媒体。
［Ｃ６４］
前記命令は、
ブロードキャストチャネルがシステム帯域幅の狭帯域領域内で送信時間間隔（ＴＴＩ）中にスケジュールされると決定することと、
前記決定に少なくとも部分的に基づいて、前記ＴＴＩ中に前記ＳＩＢのために利用可能なリソースを識別することと、
前記ＴＴＩの利用可能なリソースを識別することに少なくとも部分的に基づいて、前記狭帯域領域内のリソースに前記ＳＩＢをマッピングすることと
を行うために実行可能である、［Ｃ５９］に記載の非一時的コンピュータ可読媒体。